(57)【要約】【解決手段】爪切り１は上刃体２と下刃体１３と押圧操作てこ２２とを備えている。押圧操作てこ２２にあっては、力点部２８からてこ先端部２２ａに渡って上壁３１の全体が上下方向Ｚで閉塞され、上壁３１の上面側に滑止め用凹凸面部３９，４０や、押圧操作てこ２２の移動方向を示す指示表示部が設けられ、上壁３１の下面側に爪やすり４２が設けられている。使用状態Ｐから不使用状態に至る途中状態で上刃体２に対し押圧操作てこ２２を不使用状態へ向けて案内するように互いに当接する傾斜面３７，３８が形成されている。上下両刃先９，２０が凹状や傾斜状に形成されている。【効果】押圧操作てこ２２の強度を高めることができる。押圧操作てこ２２を確実に移動させることができる。爪の手入れが便利になる。押圧操作てこ２２を使用状態Ｐから不使用状態へ円滑に案内することができる。【選択図】図２
2004313614.tif 000002
【特許請求の範囲】
【請求項１】
上刃体と下刃体とを開閉中心部により互いに回動可能に支持し、この開閉中心部よりも先端側で上下両刃体に相対向して形成した刃先を互いに離間させるように上下両刃体を付勢し、この下刃体に対し相対動支持部で移動可能に支持した押圧操作てこが下刃体を上記付勢力に抗して押さえることができる使用状態と、この押圧操作てこを上刃体に対し折り畳むことができる不使用状態とを取り得るようにした爪切りにおいて、前記押圧操作てこにあっては、前記相対動支持部からてこ先端部に渡って形成した上壁の全体が上下方向で閉塞されていることを特徴とする爪切り。
【請求項２】
前記相対動支持部においては、前記押圧操作てこの基端部に二股状の支持腕を形成し、前記下刃体に形成したてこ連結部をこの両支持腕間に嵌め込み、この押圧操作てこを下刃体に対しそれらの間の回り対偶及び滑り対偶により移動可能に支持し、この押圧操作てこの両支持腕間に形成した力点部により前記使用状態で押圧操作てこを回り対偶の回動中心線を中心に回動させて下刃体を前記開閉中心部よりも基端側で押さえ、
前記押圧操作てこの上壁はこの力点部からてこ先端部に渡って形成されていることを特徴とする請求項１に記載の爪切り。
【請求項３】
前記下刃体のてこ連結部の上面には、前記使用状態で押圧操作てこの力点部が支えられる支点部を押圧操作てこの両支持腕間で形成するとともに、前記滑り対偶の滑り方向の両向きのうちこの力点部を支点部から離脱させる下刃体の基端側向きへ押圧操作てこを移動させた際にこの力点部が入り込む段差部を形成し、この段差部は、前記支点部から下側へ延びる壁面と、この壁面の下端隅部から下刃体の基端側向きへ延びる底面とからなり、この壁面の下端隅部に対し下刃体の基端側向きで反対側になるこの底面の基端縁部には、この壁面に面する開放部を形成したことを特徴とする請求項２に記載の爪切り。
【請求項４】
前記下刃体のてこ連結部の上面には、前記使用状態で押圧操作てこの力点部が係入されて支えられる係止溝を押圧操作てこの両支持腕間で形成し、この係止溝は、前記滑り対偶の滑り方向の両向きのうちこの力点部を係止溝から離脱させる下刃体の基端側向きへ案内する案内面を有していることを特徴とする請求項２または請求項３に記載の爪切り。
【請求項５】
上刃体と下刃体とを開閉中心部により互いに回動可能に支持し、この開閉中心部よりも先端側で上下両刃体に相対向して形成した刃先を互いに離間させるように上下両刃体を付勢し、この下刃体に対し相対動支持部で移動可能に支持した押圧操作てこが下刃体を上記付勢力に抗して押さえることができる使用状態と、この押圧操作てこを上刃体に対し折り畳むことができる不使用状態とを取り得るようにした爪切りにおいて、前記不使用状態で押圧操作てこと上刃体とを互いに係止し得る係止部を形成し、この係止部には前記使用状態からこの不使用状態に至る途中状態で上刃体に対し押圧操作てこを不使用状態へ向けて案内するように互いに当接する当接部を形成したことを特徴とする爪切り。
【請求項６】
前記相対動支持部においては、前記押圧操作てこを下刃体に対しそれらの間の回り対偶及び滑り対偶により移動可能に支持し、この押圧操作てこに形成した力点部により前記使用状態で押圧操作てこを回り対偶の回動中心線を中心に回動させて下刃体を前記開閉中心部よりも基端側で押さえ、この押圧操作てこをこの使用状態から滑り対偶の滑り方向へ移動させることにより前記途中状態を経て前記不使用状態に至り、この途中状態で互いに当接する前記当接部は、上刃体の基端部と押圧操作てこのてこ先端部とに形成されていることを特徴とする請求項５に記載の爪切り。
【請求項７】
上刃体と下刃体とを開閉中心部により互いに回動可能に支持し、この開閉中心部よりも先端側で上下両刃体に相対向して形成した刃先を互いに離間させるように上下両刃体を付勢し、この下刃体に対し相対動支持部で移動可能に支持した押圧操作てこが下刃体を上記付勢力に抗して押さえることができる使用状態と、この押圧操作てこを上刃体に対し折り畳むことができる不使用状態とを取り得るようにした爪切りにおいて、前記押圧操作てこにあっては、前記相対動支持部からてこ先端部に渡って形成した上壁の上面側に滑止め用凹凸面部を形成したことを特徴とする爪切り。
【請求項８】
前記上刃体内には前記不使用状態で下刃体及び押圧操作てこを折り畳んで収納することができる収納室を有し、前記滑止め用凹凸面部は相対動支持部とてこ先端部とを結ぶ長手方向に対し直交する幅方向でこの収納室を挟むように上刃体に形成した両枠部間で押圧操作てこの上壁の上面側に形成されていることを特徴とする請求項７に記載の爪切り。
【請求項９】
前記上刃体の両枠部にあって、前記押圧操作てこの上壁の上面に隣接する上面は、凹凸のない平滑面であることを特徴とする請求項８に記載の爪切り。
【請求項１０】
前記滑止め用凹凸面部は、上刃体の両枠部間を結ぶ幅方向の全域で形成されたものを含むことを特徴とする請求項８または請求項９に記載の爪切り。
【請求項１１】
前記滑止め用凹凸面部は、相対動支持部とてこ先端部とを結ぶ長手方向で互いに分離して配置された複数のものからなることを特徴とする請求項７から請求項１０のうちいずれかの請求項に記載の爪切り。
【請求項１２】
前記滑止め用凹凸面部は、相対動支持部とてこ先端部とを結ぶ長手方向に対し直交する幅方向へ延設された筋状凹条部と筋状凸条部とからなるものを含むことを特徴とする請求項７から請求項１１のうちいずれかの請求項に記載の爪切り。
【請求項１３】
前記滑止め用凹凸面部は、てこ先端部に隣接して設けた表示部を含むことを特徴とする請求項７から請求項１２のうちいずれかの請求項に記載の爪切り。
【請求項１４】
上刃体と下刃体とを開閉中心部により互いに回動可能に支持し、この開閉中心部よりも先端側で上下両刃体に相対向して形成した刃先を互いに離間させるように上下両刃体を付勢し、この下刃体に対し相対動支持部で移動可能に支持した押圧操作てこが下刃体を上記付勢力に抗して押さえることができる使用状態と、この押圧操作てこを上刃体に対し折り畳むことができる不使用状態とを取り得るようにした爪切りにおいて、前記押圧操作てこにあっては、前記相対動支持部からてこ先端部に渡って形成した上壁の下面側に爪やすりを設けたことを特徴とする爪切り。
【請求項１５】
前記爪やすりは、押圧操作てこの上壁の下面に形成した凹所内で爪やすりの外周縁が凹所の内周縁に合致するように嵌め込まれて貼着された状態で、この凹所から露出していることを特徴とする請求項１４に記載の爪切り。
【請求項１６】
前記爪やすりは、押圧操作てこの上壁の下面側に対し回動支持部で回動可能に支持され、この上壁の下面に面する収容状態と、この上壁の下面から離間する突出状態とを取り得ることを特徴とする請求項１４に記載の爪切り。
【請求項１７】
前記爪やすりは回動支持部で支軸により押圧操作てこの上壁の下面に沿って回動可能に支持され、前記収容状態で爪やすりとこの上壁の下面との間には爪やすりの回動支持部の支軸と爪やすりの先端部との間で隙間を有し、この爪やすりには前記収容状態でこの上壁の下面に面する一方の片面と前記上刃体に面する他方の片面とにそれぞれやすり面を形成したことを特徴とする請求項１６に記載の爪切り。
【請求項１８】
前記爪やすりの先端部は、押圧操作てこの上壁の下面側に形成した位置決め突起により前記収容状態で保持されることを特徴とする請求項１７に記載の爪切り。
【請求項１９】
上刃体と下刃体とを開閉中心部により互いに回動可能に支持し、この開閉中心部よりも先端側で上下両刃体に相対向して形成した刃先を互いに離間させるように上下両刃体を付勢し、この刃体に対し相対動支持部で移動可能に支持した押圧操作てこが刃体を上記付勢力に抗して押さえることができる使用状態と、この押圧操作てこを刃体に対し折り畳むことができる不使用状態とを取り得るようにした爪切りにおいて、前記押圧操作てこにあって、前記相対動支持部からてこ先端部に渡って形成した上壁の上面側には刃体に対する押圧操作てこの相対動方向を示す指示表示部を設けたことを特徴とする爪切り。
【請求項２０】
前記相対動支持部においては、前記押圧操作てこを下刃体に対しそれらの間の滑り対偶及び回り対偶により移動可能に支持し、この押圧操作てこに形成した力点部により前記使用状態で押圧操作てこを回り対偶の回動中心線を中心に回動させて下刃体を前記開閉中心部よりも基端側で押さえ、この押圧操作てこをこの使用状態から滑り対偶の滑り方向へ移動させることにより前記不使用状態に至り、前記指示表示部はこの滑り方向の両向きを示す矢印形態を含むことを特徴とする請求項１９に記載の爪切り。
【請求項２１】
前記指示表示部は、凸状部と凹状部と平面部とのうち、少なくともいずれかのものにより設けられていることを特徴とする請求項１９または請求項２０に記載の爪切り。
【請求項２２】
上刃体と下刃体とを開閉中心部により互いに回動可能に支持し、この開閉中心部よりも先端側で上下両刃体に相対向して形成した刃先を互いに離間させるように上下両刃体を付勢し、この下刃体に対し相対動支持部で移動可能に支持した押圧操作てこが下刃体を上記付勢力に抗して押さえることができる使用状態と、この押圧操作てこを上刃体に対し折り畳むことができる不使用状態とを取り得るようにした爪切りにおいて、前記上下両刃体の刃先にあって、延設方向の両刃縁端部とこの両刃縁端部間の中間部とを結ぶ両刃縁のうち少なくとも一方の刃縁は、下刃体に対する押圧操作てこの相対動方向に対し傾斜していることを特徴とする爪切り。
【請求項２３】
前記上下両刃体の刃先は、その両刃縁端部を結ぶ直線よりも内側に凹んだ両刃縁からなることを特徴とする請求項２２に記載の爪切り。
【請求項２４】
前記上下両刃体の刃先は、その両刃縁端部を結ぶ直線に沿った両刃縁からなることを特徴とする請求項２２に記載の爪切り。
【発明の詳細な説明】
【０００１】
【発明の属する技術分野】
本発明は不使用時に折り畳むことができる爪切りに関するものである。
【０００２】
【従来の技術】
特許文献１では下記の爪切りが開示されている。
上刃体と下刃体とが開閉中心部により互いに回動可能に支持されている。この開閉中心部よりも先端側で上下両刃体に相対向して形成された刃先が互いに離間するように上下両刃体が付勢されている。この下刃体に対し相対動支持部で移動可能に支持された押圧操作てこが下刃体を上記付勢力に抗して押さえることができる使用状態と、この押圧操作てこを上刃体に対し折り畳むことができる不使用状態とを取り得るようになっている。
【０００３】
【特許文献１】
特許第２６４７５６１号公報
【０００４】
【発明が解決しようとする課題】
特許文献１にかかる爪切りは、下記＊の問題点を有している。
＊  押圧操作てこにおいて、相対動支持部の力点部からてこ先端部に渡って形成された上壁には上下方向で貫通部分（図面中、回避孔２３）が形成されているため、強度が低下するおそれがあるとともに、使用時の感触が悪くなって操作性が悪くなる。
【０００５】
＊  爪切りを使用状態から不使用状態にする際、押圧操作てこを滑り方向へ充分に移動させないと、てこ先端部が上刃体に当たるため、押圧操作てこと上刃体とを係止部（図面中、係止凹部４ａ，５ａ及び係止凸部１６ａ）で円滑に係止させることができなくなるおそれがあり、操作性が悪くなる。
【０００６】
＊  押圧操作てこにおいて貫通部分（図面中、回避孔２３）からてこ先端部に渡って形成された上面は凹凸のない平滑面になっている。そのため、爪切りを使用状態から不使用状態にしたり不使用状態から使用状態にしたりする際、押圧操作てこを滑り方向へ確実に移動させることができなくなるおそれがあり、操作性が悪くなる。
【０００７】
＊  切断後に爪の手入れをする際、爪切りとは別に爪やすりを用意する必要があり、操作性が悪くなる。
＊  爪切りを使用状態から不使用状態にしたり不使用状態から使用状態にしたりする際、押圧操作てこの滑り方向を認識しにくいので、押圧操作てこを滑り方向へ確実に移動させることができなくなるおそれがあり、操作性が悪くなる。
【０００８】
＊  刃先が押圧操作てこの滑り方向に対し直交する直線状に形成されているため、刃先を爪の形状に合わせたり爪に対し刃先の向きを変えて切断したりすることができず、切断操作が行いにくくなり、操作性が悪くなる。
【０００９】
この発明は、上記各問題点を解消することを目的としている。
【００１０】
【課題を解決するための手段及び発明の効果】
後記実施形態の図面（図１〜６）の符号を援用して本発明を説明する。
＊  請求項１〜４の発明
請求項１の発明にかかる爪切りは、下記のように構成されている。
【００１１】
この爪切り（１）においては、上刃体（２）と下刃体（１３）とを開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２）に対し折り畳むことができる不使用状態（Ｒ）とを取り得るようにした。前記押圧操作てこ（２２）にあっては、前記相対動支持部（２５）からてこ先端部（２２ａ）に渡って形成した上壁（３１）の全体が上下方向（Ｚ）で閉塞されている。
【００１２】
請求項２の発明は請求項１の発明を前提として下記のように構成されている。
前記相対動支持部（２５）においては、前記押圧操作てこ（２２）の基端部に二股状の支持腕（２３）を形成し、前記下刃体（１３）に形成したてこ連結部（１７）をこの両支持腕間（２３）に嵌め込み、この押圧操作てこ（２２）を下刃体（１３）に対しそれらの間の回り対偶（２５ａ）及び滑り対偶（２５ｂ）により移動可能に支持し、この押圧操作てこ（２２）の両支持腕（２３）間に形成した力点部（２８）により前記使用状態（Ｐ）で押圧操作てこ（２２）を回り対偶（２５ａ）の回動中心線（２４ａ）を中心に回動させて下刃体（１３）を前記開閉中心部（１９）よりも基端側（開閉中心部１９よりも先端側にある刃先９，２０に対する反対側）で押さえる。前記押圧操作てこ（２２）の上壁（３１）はこの力点部（２８）からてこ先端部（２２ａ）に渡って形成されている。
【００１３】
請求項１〜２の発明では、押圧操作てこ（２２）において上壁（３１）の強度を高めることができるとともに、感触を良くして操作性を向上させることができる。
【００１４】
請求項３の発明は請求項２の発明を前提として下記のように構成されている。
前記下刃体（１３）のてこ連結部（１７）の上面には、前記使用状態（Ｐ）で押圧操作てこ（２２）の力点部（２８）が支えられる支点部（２６）を押圧操作てこ（２２）の両支持腕（２３）間で形成するとともに、前記滑り対偶（２５ｂ）の滑り方向（Ｘ）の両向き（ＸＦ，ＸＢ）のうちこの力点部（２８）を支点部（２６）から離脱させる下刃体（１３）の基端側向き（ＸＢ）へ押圧操作てこ（２２）を移動させた際にこの力点部（２８）が入り込む段差部（２７）を形成している。この段差部（２７）は、前記支点部（２６）から下側へ延びる壁面（３４）と、この壁面（３４）の下端隅部（３４ａ）から下刃体（１３）の基端側向き（ＸＢ）へ延びる底面（３５）とからなる。この壁面（３４）の下端隅部（３４ａ）に対し下刃体（１３）の基端側向き（ＸＢ）で反対側になるこの底面（３５）の基端縁部（３５ａ）には、この壁面（３４）に面する開放部（３６）を形成した。
【００１５】
請求項３の発明では、下刃体（１３）の段差部（２７）に開放部（３６）を形成したので、爪切り（１）を使用状態（Ｐ）から不使用状態（Ｒ）にする際、押圧操作てこ（２２）の力点部（２８）を下刃体（１３）の段差部（２７）でその基端側向き（ＸＢ）へ円滑に移動させることができ、操作性を向上させることができる。
【００１６】
請求項４の発明は、請求項２または請求項３の発明を前提として下記のように構成されている。
前記下刃体（１３）のてこ連結部（１７）の上面には、前記使用状態（Ｐ）で押圧操作てこ（２２）の力点部（２８）が係入されて支えられる係止溝（３２）を押圧操作てこ（２２）の両支持腕（２３）間で形成している。この係止溝（３２）は、前記滑り対偶（２５ｂ）の滑り方向（Ｘ）の両向き（ＸＦ，ＸＢ）のうちこの力点部（２８）を係止溝（３２）から離脱させる下刃体（１３）の基端側向き（ＸＢ）へ案内する案内面（３３）を有している。
【００１７】
請求項４の発明では、爪切り（１）の使用状態（Ｐ）において、押圧操作てこ（２２）の力点部（２８）を下刃体（１３）のてこ連結部（１７）に対し係止溝（３２）により安定性良く支えることができるとともに、押圧操作てこ（２２）の力点部（２８）を下刃体（１３）の係止溝（３２）から案内面（３３）に沿って容易に離脱させることができ、操作性を向上させることができる。
【００１８】
＊  請求項５〜６の発明
請求項５の発明にかかる爪切りは、下記のように構成されている。
この爪切り（１）においては、上刃体（２）と下刃体（１３）とを開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２）に対し折り畳むことができる不使用状態（Ｒ）とを取り得るようにした。前記不使用状態（Ｒ）で押圧操作てこ（２２）と上刃体（２）とを互いに係止し得る係止部（１０，２９）を形成している。この係止部（１０，２９）には前記使用状態（Ｐ）からこの不使用状態（Ｒ）に至る途中状態で上刃体（１）に対し押圧操作てこ（２２）を不使用状態（Ｒ）へ向けて案内するように互いに当接する当接部（３７，３８）を形成した。
【００１９】
請求項６の発明は請求項５の発明を前提として下記のように構成されている。
前記相対動支持部（２５）においては、前記押圧操作てこ（２２）を下刃体（１２）に対しそれらの間の回り対偶（２５ａ）及び滑り対偶（２５ｂ）により移動可能に支持し、この押圧操作てこ（２２）に形成した力点部（２８）により前記使用状態（Ｐ）で押圧操作てこ（２２）を回り対偶（２５ａ）の回動中心線（２４ａ）を中心に回動させて下刃体（１３）を前記開閉中心部（１９）よりも基端側（開閉中心部１９よりも先端側にある刃先９，２０に対する反対側）で押さえる。この押圧操作てこ（２２）をこの使用状態（Ｐ）から滑り対偶（２５ｂ）の滑り方向（Ｘ）へ移動させることにより前記途中状態を経て前記不使用状態（Ｒ）に至る。この途中状態で互いに当接する前記当接部（３７，３８）は、上刃体（１）の基端部と押圧操作てこ（２２）のてこ先端部（２２ａ）とに形成されている。
【００２０】
請求項５〜６の発明では、爪切り（１）を使用状態（Ｐ）から不使用状態（Ｒ）にする際、押圧操作てこ（２２）と上刃体（２）とを当接部（３７，３８）の案内により係止部（１０，２９）で円滑に係止させることができ、操作性を向上させることができる。
【００２１】
＊  請求項７〜１３の発明
請求項７の発明にかかる爪切りは、下記のように構成されている。
この爪切り（１）においては、上刃体（２）と下刃体（１３）とを開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２１）に対し折り畳むことができる不使用状態（Ｒ）とを取り得るようにした。前記押圧操作てこ（２２）にあっては、前記相対動支持部（２５）からてこ先端部（２２ａ）に渡って形成した上壁（３１）の上面側に滑止め用凹凸面部（３９，４０，５０）を形成した。
【００２２】
請求項８の発明は請求項７の発明を前提として下記のように構成されている。
前記上刃体（２）内には前記不使用状態（Ｒ）で下刃体（１３）及び押圧操作てこ（２２）を折り畳んで収納することができる収納室（７）を有している。前記滑止め用凹凸面部（３９，４０，５０）は相対動支持部（２５）とてこ先端部（２２ａ）とを結ぶ長手方向（Ｘ）に対し直交する幅方向（Ｙ）でこの収納室（７）を挟むように上刃体（２）に形成した両枠部（５，６）間で押圧操作てこ（２２）の上壁（３１）の上面側に形成されている。
【００２３】
請求項７〜８の発明では、爪切り（１）を使用状態（Ｐ）から不使用状態（Ｒ）にしたり不使用状態（Ｒ）から使用状態（Ｐ）にしたりする際、滑止め用凹凸面部（３９，４０，５０）との接触により押圧操作てこ（２２）を確実に移動させることができ、操作性を向上させることができる。ちなみに、前記上刃体２や下刃体１３や押圧操作てこ２２等は爪切り１の全体に光沢を持たせて高級感をかもし出すように研磨処理されているため滑り易いが、そのような場合でも、滑止め用凹凸面部（３９，４０，５０）があると、押圧操作てこ（２２）を確実に移動させることができる。
【００２４】
請求項９の発明において、請求項８の発明にかかる上刃体（２）の両枠部（５，６）にあっては、前記押圧操作てこ（２２）の上壁（３１）の上面に隣接する上面（５ａ，６ａ）が凹凸のない平滑面である。
【００２５】
請求項９の発明では、上刃体（２）の両枠部（５，６）の上面（５ａ，６ａ）に滑止め用凹凸面部がないので、押圧操作てこ（２２）を移動させる際にこの上面（５ａ，６ａ）に触れたとしても、この上面（５ａ，６ａ）が押圧操作てこ（２２）の移動を阻害する移動抵抗として働きにくくなり、上刃体（２）に対し押圧操作てこ（２２）を確実に移動させることができ、操作性を向上させることができる。
【００２６】
請求項１０の発明において、請求項８または請求項９の発明にかかる滑止め用凹凸面部（３９，４０，５０）は、上刃体（２）の両枠部（５，６）間を結ぶ幅方向（Ｙ）の全域で形成されたものを含む。
【００２７】
請求項１１の発明において、請求項７から請求項１０のうちいずれかの請求項の発明にかかる滑止め用凹凸面部（３９，４０，５０）は、相対動支持部（２５）とてこ先端部（２２ａ）とを結ぶ長手方向（Ｘ）で互いに分離して配置された複数のものからなる。
【００２８】
請求項１２の発明において、請求項７から請求項１１のうちいずれかの請求項の発明にかかる滑止め用凹凸面部（３９，４０，５０）は、相対動支持部（２５）とてこ先端部（２２ａ）とを結ぶ長手方向（Ｘ）に対し直交する幅方向（Ｙ）へ延設された筋状凹条部（３９ａ）と筋状凸条部（３９ｂ）とからなるものを含む。
【００２９】
請求項１０〜１２の発明では、押圧操作てこ（２２）を確実に移動させることができ、操作性を向上させることができる。
請求項１３の発明において、請求項７から請求項１２のうちいずれかの請求項の発明にかかる滑止め用凹凸面部（３９，４０，５０）は、てこ先端部（２２ａ）に隣接して設けた表示部（４０，５０）を含む。
【００３０】
請求項１３の発明では、ロゴマークなどの表示部（４０，５０）が滑止め用凹凸面部（３９，４０，５０）を兼用することができる。
＊  請求項１４〜１８の発明
請求項１４の発明にかかる爪切りは、下記のように構成されている。
【００３１】
この爪切り（１）においては、上刃体（２）と下刃体（１３）とを開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２）に対し折り畳むことができる不使用状態（Ｒ）とを取り得るようにした。前記押圧操作てこ（２２）にあっては、前記相対動支持部（２５）からてこ先端部（２２ａ）に渡って形成した上壁（３１）の下面側に爪やすり（４２，４３）を設けた。
【００３２】
請求項１５の発明において、請求項１４の発明にかかる爪やすり（４２）は、押圧操作てこ（２２）の上壁（３１）の下面に形成した凹所（４１）内で爪やすり（４２）の外周縁（４２ａ）が凹所（４１）の内周縁（４１ａ）に合致するように嵌め込まれて貼着された状態で、この凹所（４１）から露出している。
【００３３】
請求項１６の発明において、請求項１４の発明にかかる爪やすり（４３）は、押圧操作てこ（２２）の上壁（３１）の下面側に対し回動支持部（２５）で回動可能に支持され、この上壁（３１）の下面に面する収容状態（Ａ）と、この上壁（３１）の下面から離間する突出状態（Ｂ）とを取り得る。
【００３４】
請求項１４〜１６の発明では、押圧操作てこ（２２）の爪やすり（４２，４３）により切断後の爪の手入れをする際、爪切り（１）とは別に爪やすりを用意する必要がなくなり、操作性を向上させることができる。
【００３５】
請求項１７の発明は、請求項１６の発明を前提として下記のように構成されている。
前記爪やすり（４３）は回動支持部（４４）で支軸（４５）により押圧操作てこ（２２）の上壁（３１）の下面に沿って回動可能に支持されている。前記収容状態（Ａ）で爪やすり（４３）とこの上壁（３１）の下面との間には爪やすり（４３）の回動支持部（４４）の支軸（４５）と爪やすり（４３）の先端部（４３ａ）との間で隙間（Ｇ）を有している。この爪やすり（４３）には前記収容状態（Ａ）でこの上壁（３１）の下面に面する一方の片面と前記上刃体（２）に面する他方の片面とにそれぞれやすり面（４８，４９）を形成した。
【００３６】
請求項１７の発明では、両やすり面（４８，４９）を形成した爪やすり（４３）を押圧操作てこ（２２）に対し円滑に回動させることができ、操作性を向上させることができる。
【００３７】
請求項１８の発明において、請求項１７の発明にかかる爪やすり（４３）の先端部（４３ａ）は、押圧操作てこ（２２）の上壁（３１）の下面側に形成した位置決め突起（４６）により前記収容状態（Ａ）で保持される。
【００３８】
請求項１８の発明では、爪やすり（４３）を収容状態（Ａ）で確実に保持することができ、操作性を向上させることができる。
＊  請求項１９〜２１の発明
請求項１９の発明にかかる爪切りは、下記のように構成されている。
【００３９】
この爪切り（１）においては、上刃体（２）と下刃体（１３）とを開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２）に対し折り畳むことができる不使用状態（Ｒ）とを取り得るようにした。前記押圧操作てこ（２２）にあって、前記相対動支持部（２５）からてこ先端部（２２ａ）に渡って形成した上壁（３１）の上面側には刃体（１２）に対する押圧操作てこ（２２）の相対動方向（Ｘ）を示す指示表示部（５０）を設けた。
【００４０】
請求項２０の発明は、請求項１９の発明を前提として下記のように構成されている。
前記相対動支持部（２５）においては、前記押圧操作てこ（２２）を下刃体（１３）に対しそれらの間の回り対偶（２５ａ）及び滑り対偶（２５ｂ）により移動可能に支持し、この押圧操作てこ（２２）に形成した力点部（２８）により前記使用状態（Ｐ）で押圧操作てこ（２２）を回り対偶（２５ａ）の回動中心線（１８ａ）を中心に回動させて下刃体（１３）を前記開閉中心部（１９）よりも基端側（開閉中心部１９よりも先端側にある刃先９，２０に対する反対側）で押さえる。この押圧操作てこ（２２）をこの使用状態（Ｐ）から滑り対偶（２５ｂ）の滑り方向（Ｘ）へ移動させることにより前記不使用状態（Ｒ）に至り、前記指示表示部（５０）はこの滑り方向（Ｘ）の両向き（ＸＦ，ＸＢ）を示す矢印形態を含む。
【００４１】
請求項２１の発明において請求項１９または請求項２０の発明にかかる指示表示部（５０）は、凸状部と凹状部と平面部とのうち、少なくともいずれかのものにより設けられている。
【００４２】
請求項１９〜２１の発明では、爪切り（１）を使用状態（Ｐ）から不使用状態（Ｒ）にしたり不使用状態（Ｒ）から使用状態（Ｐ）にしたりする際、指示表示部（５０）を見て押圧操作てこ（２２）の滑り方向（Ｘ）を認識し易くなり、押圧操作てこ（２２）を確実に移動させることができる。ちなみに、折畳み可能な爪切り１では、使用状態（Ｐ）から不使用状態（Ｒ）にしたり不使用状態（Ｒ）から使用状態（Ｐ）にしたりする操作が使用者にとって分かりにくいこともあるが、このような指示表示部（５０）があると、便利になって操作性を向上させることができる。
【００４３】
＊  請求項２２〜２４の発明
請求項２２の発明にかかる爪切りは、下記のように構成されている。
この爪切り（１）においては、上刃体（２）と下刃体（１３）を開閉中心部（１９）により互いに回動可能に支持し、この開閉中心部（１９）よりも先端側で上下両刃体（２，１３）に相対向して形成した刃先（９，２０）を互いに離間させるように上下両刃体（２，１３）を付勢し、この下刃体（１３）に対し相対動支持部（２５）で移動可能に支持した押圧操作てこ（２２）が下刃体（１３）を上記付勢力に抗して押さえることができる使用状態（Ｐ）と、この押圧操作てこ（２２）を上刃体（２）に対し折り畳むことができる不使用状態（Ｒ）とを取り得るようにした。前記上下両刃体（２，１３）の刃先（９，２０）にあって、延設方向の両刃縁端部（９ａ，２０ａ）とこの両刃縁端部（９ａ，２０ａ）間の中間部（９ｂ，２０ｂ）とを結ぶ両刃縁（５１，５２）のうち少なくとも一方の刃縁（５１，５２）は、下刃体（１３）に対する押圧操作てこ（２２）の相対動方向（Ｘ）に対し傾斜している。例えば、請求項２３の発明において、請求項２２の発明にかかる上下両刃体（２，１３）の刃先（９，２０）は、その両刃縁端部（９ａ，２０ａ）を結ぶ直線よりも内側に凹んだ両刃縁（５１，５２）からなる。例えば、請求項２４の発明において、請求項２２の発明にかかる上下両刃体（２，１３）の刃先（９，２０）は、その両刃縁端部（９ａ，２０ａ）を結ぶ直線に沿った両刃縁（５１，５２）からなる。
【００４４】
請求項２２〜２４の発明では、請求項２３の発明のように刃先（９，２０）を手や足の爪の形状に合わせて凹形状に形成したり、請求項２４の発明のように手や足の爪に対し刃先（９，２０）の向きを斜めにして切断したりすることができるので、切断操作が行い易くなる。
【００４５】
【発明の実施の形態】
以下、本発明の一実施形態にかかる爪切りについて図面を参照して説明する。
図１に示す爪切り１において上刃体２は前枠部３と後枠部４と左枠部５と右枠部６とからなる。この上刃体２内で各枠部３，４，５，６間には上下方向Ｚへ開放された収納室７が形成されている。左右両枠部５，６の前部には軸支孔８が形成されている。この軸支孔８よりも先端側（前側）で前枠部３の下側に上刃先９が形成されている。後枠部４は左右両枠部５，６の後部間の下側に設けられ、後枠部４の上面と左右両枠部５，６の内面との間が段差状になっている。左右両枠部５，６の後端部は後枠部４よりも後方へ若干突出している。左右両枠部５，６の後部の内側で後枠部４上の左右両側には係止突条１０（係止部）が形成され、この係止突条１０の後端部が後枠部４よりも後方へ若干突出している。この係止突条１０の後端部の下側には係止面１１が形成されている。図２（ａ）（ｂ）に示すように後枠部４上には板ばね１２が取着されている。この板ばね１２は左右両枠部５，６の内面間で前枠部３側へ延設されている。
【００４６】
図１に示す爪切り１において下刃体１３は、軸支孔１５を有する支持部１４と、この軸支孔１５よりも先端側（前側）に形成された刃部１６と、この軸支孔１５よりも基端側（後側）に形成されたてこ連結部１７とからなる。この支持部１４が前記上刃体２の左右両枠部５，６の内面間に嵌め込まれた状態で、それらの各軸支孔８，１５に支軸１８が挿着され、図２（ａ）（ｂ）に示すように上刃体２と下刃体１３とが開閉中心部１９である各軸支孔８，１５及び支軸１８を中心に上下方向Ｚへ互いに回動可能に支持されている。刃部１６の上側には下刃先２０が前記上刃体２の上刃先９に対向して形成されている。前記板ばね１２はてこ連結部１７の下側に当接し、この板ばね１２の付勢力により上下両刃体２，１３が互いに押し広げられてそれらの刃先９，２０が離間するようになっている。
【００４７】
前記下刃体１３のてこ連結部１７にはガイド長孔２１が前後方向Ｘへ延びるように形成されている。図１に示す押圧操作てこ２２の前部の左右両側には二股状の支持腕２３が形成され、この左右両支持腕２３間にてこ連結部１７が嵌め込まれた状態で、支軸２４がガイド長孔２１を通して左右両支持腕２３の軸支孔２３ａに挿着されて相対動支持部２５となっている。この相対動支持部２５においては、押圧操作てこ２２の両支持腕２３と下刃体１３のてこ連結部１７とが、ガイド長孔２１と支軸２４とにより、上下方向Ｚへ回動可能に支持されて回り対偶２５ａが構成されているとともに、ガイド長孔２１に沿う前後方向Ｘへ移動可能に支持されて滑り対偶２５ｂが構成されている。下刃体１３のてこ連結部１７上には支点部２６が形成されているとともに、ガイド長孔２１よりも後方で段差部２７が形成されている。押圧操作てこ２２の両支持腕２３間には支軸２４よりも後方で力点部２８が形成されている。押圧操作てこ２２の後端部（てこ先端部２２ａ）の下側には係止壁部２９（係止部）が形成され、この係止壁部２９の内側でその左右両側に形成された係止凹部３０に係止面３０ａが形成されている。
【００４８】
なお、前記上刃体２や下刃体１３や押圧操作てこ２２等は、ＭＩＭ（金属粉末射出成形）により製造されている。
さて、図２（ａ）（ｂ）に示す爪切り１の使用状態Ｐにおいては、押圧操作てこ２２の支軸２４が下刃体１３のガイド長孔２１の前側に位置し、押圧操作てこ２２の力点部２８が下刃体１３の段差部２７から離れててこ連結部１７上の支点部２６に支持されている。上下両刃体２，１３は板ばね１２の付勢力により互いに押し広げられ、上下両刃体２，１３の刃先９，２０が互いに離間している。下刃体１３のてこ連結部１７並びにそれに連結された押圧操作てこ２２は上刃体２の上方へ傾斜している。押圧操作てこ２２を下方へ押さえると、力点部２８により下刃体１３のてこ連結部１７が板ばね１２の付勢力に抗して下方へ押さえられて押圧操作てこ２２及び下刃体１３が開閉中心部１９を中心に回動し、上下両刃体２，１３の刃先９，２０が互いに当接する。
【００４９】
一方、不使用時には押圧操作てこ２２の支軸２４を下刃体１３のガイド長孔２１の後側に移動させ、押圧操作てこ２２の力点部２８を下刃体１３の支点部２６から離して下刃体１３の段差部２７に退避させる。押圧操作てこ２２を下方へ押さえると、図３（ａ）に示す爪切り１の折畳み途中状態Ｑで、上下両刃体２，１３の刃先９，２０が互いに当接するとともに、下刃体１３のてこ連結部１７と押圧操作てこ２２とが上刃体２の収納室７内に入れられる。押圧操作てこ２２の係止壁部２９は上刃体２の左右両枠部５，６の後端部間で上刃体２の左右両係止突条１０よりも若干後方に位置する。
【００５０】
さらに、図３（ｂ）及び図４（ａ）（ｂ）に示すように押圧操作てこ２２の支軸２４を下刃体１３のガイド長孔２１に沿って前方へ移動させると、押圧操作てこ２２の左右両係止凹部３０が上刃体２の左右両係止突条１０に係止されてそれらの係止面３０ａ，１１が互いに当接する。そのため、押圧操作てこ２２及び下刃体１３のてこ連結部１７が板ばね１２の付勢力により上方へ回動するのを阻止する。このようにして折り畳まれた爪切り１の不使用状態Ｒでは、下刃体１３及び押圧操作てこ２２が上刃体２内に入り込むので、上下両刃体２，１３及び押圧操作てこ２２をコンパクトに折り畳んで爪切りの厚みを薄くすることができる。また、不使用時に上下両刃体２，１３の刃先９，２０が互いに当接して閉じるので、折り畳んだ爪切りをポケット内に入れた時、刃先９，２０によりポケットを破損したり、刃先９，２０により指等に怪我をするおそれがなくなる。なお、前記上刃体２や下刃体１３や押圧操作てこ２２等は研磨処理されているため、爪切り１の全体に光沢があり、高級感をかもし出している。
【００５１】
前記爪切り１の不使用状態Ｒで押圧操作てこ２２の支軸２４を下刃体１３のガイド長孔２１に沿って後方へ移動させると、押圧操作てこ２２の左右両係止凹部３０が上刃体２の左右両係止突条１０から離れてそれらの係止面３０ａ，１１も互いに離れ、前記爪切り１の折畳み途中状態Ｑとなる。そして、押圧操作てこ２２を離すと、押圧操作てこ２２及び下刃体１３のてこ連結部１７が板ばね１２の付勢力により上方へ回動する。その後、押圧操作てこ２２の支軸２４を下刃体１３のガイド長孔２１に沿って前方へ移動させるとともに、押圧操作てこ２２の力点部２８を下刃体１３の段差部２７から離しててこ連結部１７上の支点部２６に支持すると、前記爪切り１の使用状態Ｐになる。
【００５２】
本実施形態にかかる爪切り１は、前述した従来の特許文献１（特許第２６４７５６１号公報）と比較して主に下記＊の点で異なる。
＊  請求項１〜４の発明に対応
前記押圧操作てこ２２にあっては、図２（ａ）及び図４（ａ）（ｂ）に示すように、前記相対動支持部２５の力点部２８からてこ先端部２２ａに渡って形成された上壁３１の全体が上下方向Ｚで閉塞されている。ここに「閉塞」とは、上下方向Ｚで貫通部分が形成されていないことを意味する。
【００５３】
前記下刃体１３のてこ連結部１７の支点部２６においては、図２（ｂ）及び図３（ａ）（ｂ）に示すように、押圧操作てこ２２の力点部２８が係入されて支えられる係止溝３２が押圧操作てこ２２の左右両支持腕２３間で形成されている。この係止溝３２は、断面Ｖ状をなし、前記滑り対偶２５ｂの滑り方向（前後方向Ｘ）の両向きＸＦ，ＸＢのうち、この力点部２８を段差部２７側へ離脱させる下刃体１３の基端側向きＸＢへ案内する案内面３３を有している。
【００５４】
前記下刃体１３のてこ連結部１７の段差部２７は、図２（ｂ）及び図３（ａ）（ｂ）に示すように、前記支点部２６から下側へ延びる壁面３４と、この壁面３４の下端隅部３４ａから下刃体１３の基端側向きＸＢへ延びる底面３５とからなる。この壁面３４の下端隅部３４ａに対し下刃体１３の基端側向きＸＢで反対側になるこの底面３５の基端縁部３５ａには、この壁面３４に面する開放部３６が形成されている。ちなみに、この底面３５は凹凸のない平滑面になっている。
【００５５】
＊  請求項５〜６の発明に対応
図５（ａ）に示すように、前記上刃体２の後端部に形成された左右両係止突条１０の後端上縁部には当接部としての傾斜面３７が形成されている。図５（ｂ）に示すように、前記押圧操作てこ２２のてこ先端部２２ａに形成された係止壁部２９の内側下端縁部には当接部としての傾斜面３８が形成されている。図５（ｃ）に示すように、前記爪切り１を使用状態Ｐから前記爪切り１の折畳み途中状態Ｑに至る前の状態で、これらの傾斜面３７，３８が互いに当接すると、上刃体２に対し押圧操作てこ２２が案内されてこの折畳み途中状態Ｑとなる。
【００５６】
＊  請求項７〜１３の発明に対応
前記押圧操作てこ２２にあっては、力点部２８からてこ先端部２２ａに渡って長手方向（前後方向Ｘ）へ延びるように形成された上壁３１の上面側で、力点部２８付近の滑止め用凹凸面部３９とてこ先端部２２ａ付近の滑止め用凹凸面部４０とが長手方向（前後方向Ｘ）で互いに分離して配置されて形成されている。力点部２８に隣接する滑止め用凹凸面部３９は、上刃体２の左右両枠部５，６間において長手方向（前後方向Ｘ）に対し直交する幅方向（左右方向Ｙ）の全域で幅方向（左右方向Ｙ）へ延設された筋状凹条部３９ａと筋状凸条部３９ｂとからなる。てこ先端部２２ａに隣接する滑止め用凹凸面部４０は、図示しない各種ロゴマ−ク（表示部）である。上刃体２の左右両枠部５，６にあって、押圧操作てこ２２の上壁３１の上面に隣接する上面５ａ，６ａは、凹凸のない平滑面である。
【００５７】
＊  請求項１４〜１８の発明に対応
前記押圧操作てこ２２にあっては、図６（ａ）に示すように、上壁３１の下面側に形成された凹所４１に爪やすり４２が嵌め込まれて貼着され、凹所４１から露出している。この爪やすり４２の外周縁４２ａは凹所４１の内周縁４１ａに合致している。
【００５８】
また、図６（ｂ）（ｃ）に示す別例では、爪やすり４３が押圧操作てこ２２の上壁３１の下面側に対し回動支持部４４の支軸４５により上壁３１の下面に沿って回動可能に支持され、この上壁３１の下面に面する収容状態Ａと、この上壁３１の下面から離間する突出状態Ｂとを取り得る。この爪やすり４３の先端部４３ａは、上壁３１の下面側に形成された左右両位置決め突起４６により前記収容状態Ａで保持される。この回動支持部４４で上壁３１の下面に膨出部４７が形成され、爪やすり４３がこの膨出部４７に載せられているため、前記収容状態Ａで爪やすり４３と上壁３１の下面との間には回動支持部４４の支軸４５と爪やすり４３の先端部４３ａとの間で隙間Ｇが生じる。この爪やすり４３には前記収容状態Ａで上壁３１の下面に面する一方の片面と上刃体２に面する他方の片面とにそれぞれやすり面４８，４９が形成されている。
【００５９】
＊  請求項１９〜２１の発明に対応
図４（ｃ）（ｄ）（ｅ）（ｆ）に示す別例では、前記押圧操作てこ２２の上壁３１の上面側にあって、てこ先端部２２ａに隣接して設けた前記滑止め用凹凸面部４０に代えて、指示表示部５０が設けられている。この指示表示部５０には、下刃体１３に対する押圧操作てこ２２の相対動方向である滑り対偶２５ｂの滑り方向（前後方向Ｘ）の両向きＸＦ，ＸＢを示す矢印形態が明示されている。この指示表示部５０の矢印形態については、凸状部と凹状部と平面部（印刷等）とのうち、少なくともいずれかのものにより設けられている。この指示表示部５０は滑止め用凹凸面部として兼用することができる。
【００６０】
＊  請求項２２〜２４の発明に対応
図４（ａ）（ｂ）に示すように、前記上下両刃体２，１３の刃先９，２０は、延設方向の両刃縁端部９ａ，２０ａとこの両刃縁端部９ａ，２０ａ間の中間部９ｂ，２０ｂとを結ぶ両刃縁５１，５２からなる。この両刃縁５１，５２は下刃体１３に対する押圧操作てこ２２の相対動方向（前後方向Ｘ）に対し傾斜している。例えば、この両刃縁５１，５２からなる刃先９，２０は、両刃縁端部９ａ，２０ａを結ぶ直線Ｌよりも内側に凹んでいたり、その直線Ｌ上にある。
【図面の簡単な説明】
【図１】本実施形態にかかる爪切りを示す分解斜視図である。
【図２】（ａ）は上記爪切りの使用状態を示す組付斜視図であり、（ｂ）は同じく組付断面図である。
【図３】（ａ）は上記爪切りの折畳み途中状態を示す組付断面図であり、（ｂ）は上記爪切りの不使用状態を示す組付断面図である。
【図４】（ａ）は上記爪切りの不使用状態を示す組付斜視図であり、（ｂ）は同じく組付平面図であり、（ｃ）（ｄ）（ｅ）（ｆ）はそれぞれ上記爪切りの押圧操作てこの別例を示す部分平面図である。
【図５】（ａ）は上記爪切りの上刃体を示す部分斜視図であり、（ｂ）は上記爪切りの押圧操作てこを示す部分斜視図であり、（ｃ）は上記爪切りにおいて使用状態から不使用状態に至る途中の状態を示す部分断面図である。
【図６】（ａ）は上記爪切りの押圧操作てこの下側を示す底面図であり、（ｂ）は上記爪切りの押圧操作てこの別例においてその下側を示す底面図であり、（ｃ）は（ｂ）の押圧操作てこを長手方向で切断した断面図である。
【符号の説明】
１…爪切り、２…上刃体、５…左枠部、５ａ…左枠部の上面、６…右枠部、６ａ…右枠部の上面、７…収納室、９…上刃先、９ａ…刃縁端部、９ｂ…中間部、１０…係止突条（係止部）、１１…係止面、１２…板ばね、１３…下刃体、１７…てこ連結部、１９…開閉中心部、２０…下刃先、２０ａ…刃縁端部、２０ｂ…中間部、２２…押圧操作てこ、２２ａ…てこ先端部、２３…支持腕、２４ａ…回動中心線、２５…相対動支持部、２５ａ…回り対偶、２５ｂ…滑り対偶、２６…支点部、２７…段差部、２８…力点部、２９…係止壁部（係止部）、３１…押圧操作てこの上壁、３２…係止溝、３３…案内面、３４…壁面、３４ａ…下端隅部、３５…底面、３５ａ…基端縁部、３６…開放部、３７，３８…傾斜面（当接部）、３９…滑止め用凹凸面部、３９ａ…筋状凹条部、３９ｂ…筋状凸条部、４０…滑止め用凹凸面部、４１…凹所、４１ａ…内周縁、４２…爪やすり、４２ａ…外周縁、４３…爪やすり、４３ａ…先端部、４４…回動支持部、４５…支軸、４６…位置決め突起、４８，４９…やすり面、５０…指示表示部、５１，５２…刃縁、Ｐ…使用状態、Ｑ…折畳み途中状態、Ｒ…不使用状態、Ａ…爪やすりの収容状態、Ｂ…爪やすりの突出状態、Ｇ…隙間、Ｌ…直線、Ｘ…前後方向（滑り方向、長手方向、相対動方向）、ＸＦ，ＸＢ…向き、Ｙ…左右方向（幅方向）、Ｚ…上下方向。
【図１】
2004313614.tif 000003
【図２】
2004313614.tif 000004
【図３】
2004313614.tif 000005
【図４】
2004313614.tif 000006
【図５】
2004313614.tif 000007
【図６】
2004313614.tif 000008